(57)【要約】【課題】  バストアップ効果を有するとともに、着用時にカップ部の形状が崩れず、バストの造形性を高めることができるカップ部を有する衣類を提供する。【解決手段】  本発明のカップ部を有する衣類は、一対のカップ部１０１及びバック部１０３を備え、バック部１０３は、一対のカップ部１０１の脇側に取り付けられ、カップ部１０１は、隆起部１０５を有し、隆起部１０５は、カップ部１０１の肌側の前中心側及び脇側の少なくとも一方の領域であって、カップ部１０１の下辺部の前中心側端点Ｓと脇側端点Ｔとを結んだ仮想線をはさむ上下方向の領域に配置されていることを特徴とする。【選択図】  図１
2014091884.tif 000002
【特許請求の範囲】
【請求項１】
カップ部を有する衣類であって、
一対のカップ部及びバック部を備え、
前記バック部は、前記一対のカップ部の脇側に取り付けられ、
前記カップ部は、隆起部を有し、
前記隆起部は、前記カップ部の肌側の前中心側及び脇側の少なくとも一方の領域であって、前記カップ部の下辺部の前中心側端点と脇側端点とを結んだ仮想線をはさむ上下方向の領域に配置されていることを特徴とするカップ部を有する衣類。
【請求項２】
前記隆起部は、前記カップ部の下辺部の前中心側端点と脇側端点とを結んだ仮想線上または前記仮想線よりも下側に最も厚みのある部分が形成されていることを特徴とする請求項１記載のカップ部を有する衣類。
【請求項３】
前記隆起部は、前記カップ部の下辺部におけるバージスラインの最下点に対応する部分との間に一定の距離をおいて内側に形成されていることを特徴とする請求項１または２記載のカップ部を有する衣類。
【請求項４】
前記隆起部の厚みが、前記カップ部の下部において、前記カップ部の下辺部の前中心側端点と脇側端点とを結んだ仮想線の位置における厚みよりも薄くなっていることを特徴とする請求項１から３のいずれか一項に記載のカップ部を有する衣類。
【請求項５】
前記隆起部が、前記カップ部の下辺部におけるバージスラインの最下点に対応する部分を避けて配置されていることを特徴とする請求項１または２記載のカップ部を有する衣類。
【請求項６】
前記隆起部の厚みが、前記カップ部の下辺部の前中心側端点と脇側端点とを結んだ仮想線の位置から前記カップ部の上辺部側に向かうにつれて薄くなっていることを特徴とする請求項１から５のいずれか一項に記載のカップ部を有する衣類。
【請求項７】
前記隆起部が、前記カップ部の周辺部に沿うように配置されていることを特徴とする請求項１から６のいずれか一項に記載のカップ部を有する衣類。
【請求項８】
前記隆起部の上側が複数に分岐していることを特徴とする請求項１から７のいずれか一項に記載のカップ部を有する衣類。
【請求項９】
前記衣類がブラジャーであることを特徴とする請求項１から８のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、ポリウレタン等の弾性体を成型した、いわゆるモールドタイプのカップ部が用いられているものがある。前記モールドタイプのカップ部では、バストアップ機能を付与するために、カップ部下部に肉厚部が形成されていた。例えば、特許文献１では、ポリウレタンフォームを圧縮して成形された、カップ部を構成する成型パッドであって、前記成型パッドの脇側の部分は、硬質ポリウレタンフォームを圧縮成形した圧縮シートをポリウレタンフォームにて挟んでさらに圧縮成形した３層構造であるとともに、前記成形パッドの上辺部、脇部、トップ部、バスト下部の厚みが異なり、前記上辺部の厚みが１〜７ｍｍ、前記脇部の厚みが４〜１０ｍｍ、前記トップ部の厚みが６〜７ｍｍ、前記バスト下部の厚みが８〜１６ｍｍである成型パッドが提案されている。
【先行技術文献】
【特許文献】
【０００３】
【特許文献１】特許第４３７７８４２号公報
【発明の概要】
【発明が解決しようとする課題】
【０００４】
しかし、前記成型パッドを含めた従来のブラジャー等のカップ部を有する衣類では、バストアップ効果は得られるが、着用時にカップ部がバック部によって左右に引かれてカップ部のシルエットが横長になってしまい、着用時におけるカップ部の形状が崩れるという問題がある。特に、ストラップレスタイプのブラジャーの場合は、ストラップによってカップ部を上に引き上げる力が作用しないため、このような問題が顕著に表れる。そして、このようにカップ部の形状が崩れると、ブラジャーによるバストの造形力が低下してしまうという問題がある。なお、前記のような問題は、本発明者が見出したものである。
【０００５】
そこで、本発明は、バストアップ効果を有するとともに、着用時にカップ部の形状が崩れず、バストの造形性を高めることができるカップ部を有する衣類を提供することを目的とする。
【課題を解決するための手段】
【０００６】
前記目的を達成するために、本発明のカップ部を有する衣類は、
カップ部を有する衣類であって、
一対のカップ部及びバック部を備え、
前記バック部は、前記一対のカップ部の脇側に取り付けられ、
前記カップ部は、隆起部を有し、
前記隆起部は、前記カップ部の肌側の前中心側及び脇側の少なくとも一方の領域であって、前記カップ部の下辺部の前中心側端点と脇側端点とを結んだ仮想線をはさむ上下方向の領域に配置されていることを特徴とする。
【発明の効果】
【０００７】
本発明のカップ部を有する衣類によれば、バストアップ効果を有するとともに、着用時にカップ部の形状が崩れず、バストの造形性を高めることができる。
【図面の簡単な説明】
【０００８】
【図１】図１は、本発明の第１の実施形態に係るブラジャー１００のバック部を開いた状態の背面図である。
【図２】図２（ａ）は、前記第１の実施形態に係るブラジャー１００のカップ部を背面側から見た図である。図２（ｂ）は、前記第１の実施形態に係るブラジャー１００のカップ部のその他の例を背面側から見た図である。
【図３】図３（ａ）は、前記第１の実施形態に係るブラジャー１００のカップ部を図２（ａ）におけるＩ−Ｉ方向に見た断面図である。図３（ｂ）は、前記第１の実施形態に係るブラジャー１００のカップ部を図２（ａ）におけるＩＩ−ＩＩ方向に見た断面図である。
【図４】図４は、着用時におけるバック部の左右に引く力のかかり方を説明する図である。
【図５】図５は、本発明の第２の実施形態に係るブラジャー２００のバック部を開いた状態の背面図である。
【図６】図６（ａ）は、前記第２の実施形態に係るブラジャー２００のカップ部を背面側から見た図である。図６（ｂ）は、前記第２の実施形態に係るブラジャー２００を図６（ａ）におけるＩＩＩ−ＩＩＩ方向に見た断面図である。
【図７】図７は、本発明の第３の実施形態に係るブラジャー３００のバック部を開いた状態の背面図である。
【図８】図８は、前記第３の実施形態に係るブラジャー３００のカップ部を背面側から見た図である。
【図９】図９（ａ）は、本発明の第４の実施形態に係るブラジャー４００のバック部を開いた状態の背面図である。図９（ｂ）は、前記第４の実施形態に係るブラジャー４００のカップ部を図９（ａ）におけるＩＶ−ＩＶ方向に見た断面図である。
【図１０】図１０（ａ）及び（ｂ）は、本発明のカップ部を有する衣類のその他の例である、ブラキャミソールを示す斜視図である。
【図１１】図１１（ａ）は、従来のモールドタイプのカップ部の一例を背面側から見た図である。図１１（ｂ）は、前記従来のモールドタイプのカップ部を図１１（ａ）におけるＶ−Ｖ方向に見た断面図である。
【図１２】図１２は、着用時におけるバック部の左右に引く力のかかり方を説明する図である。
【図１３】図１３（ａ）は、前記従来のモールドタイプのカップ部を有する衣類の、着用時におけるカップ部の状態を説明する図である。図１３（ｂ）は、前記従来のモールドタイプのカップ部を図１３（ａ）におけるＶＩ−ＶＩ方向に見た断面図である。
【発明を実施するための形態】
【０００９】
本発明のカップ部を有する衣類について、例をあげて説明する。ただし、本発明は、以下の例に限定及び制限されない。
【００１０】
（第１の実施形態）
図１に、本発明のカップ部を有する衣類の第１の実施形態に係るブラジャー１００を示す。図１は、バック部１０３を開いた状態のブラジャー１００の背面図である。
【００１１】
本実施形態のブラジャー１００は、一対のカップ部１０１及びバック部１０３を備えた、いわゆる１／２カップタイプのブラジャーである。本実施形態において、ブラジャー１００は、さらに肩ストラップ１０４を有するが、肩ストラップ１０４は着脱可能に取り付けられており、ストラップレスタイプとして使用することもできる。本実施形態において、一対のカップ部１０１の下縁には、一対のカップ支持部１０２が取り付けられ、バック部１０３は、カップ支持部１０２の脇側に取り付けられている。本実施形態において、カップ支持部１０２には、ワイヤー（図示せず）が設けられている。そして、カップ支持部１０２の下縁には、土台部１１０が設けられている。
【００１２】
本発明において、カップ部１０１は、隆起部１０５を有する。本実施形態において、カップ部１０１は、成型部材で形成されたいわゆるモールドタイプのカップ部である。図２（ａ）に、本実施形態のブラジャー１００のカップ部１０１（着用者から見て左側のカップ部）を背面側から見た図を示す。本実施形態において、隆起部１０５は、カップ部１０１の肌側の前中心側及び脇側の領域であって、カップ部１０１の下辺部の前中心側端点Ｓと脇側端点Ｔとを結んだ仮想線（図２（ａ）において二点鎖線で示す線）Ｌをはさむ上下方向の領域に配置されている。ここで、「上下方向」とは、着用時における上下方向をいう。なお、本実施形態では、隆起部１０５は前中心側及び脇側両方に設けられているが、後述のように、本発明において、隆起部は、前中心側及び脇側のいずれか一方に設けられていればよい。
【００１３】
図３（ａ）に、本実施形態に係るブラジャー１００のカップ部１０１を、図２（ａ）におけるＩ−Ｉ方向に見た断面図を示す。図３（ａ）に示すように、隆起部１０５では、カップ部１０１が肌側に膨らみ、カップ部１０１における隆起部１０５以外の部分よりも厚みを有するように形成されている。これにより、隆起部１０５が設けられている領域に、剛性を持たせることができる。
【００１４】
図１１に、従来のモールドタイプのカップ部（以下「従来のカップ部」ともいう。）の一例を示す。図１１（ａ）は、前記従来のカップ部を背面側から見た図であり、図１１（ｂ）は、前記従来のカップ部を図１１（ａ）におけるＶ−Ｖ方向に見た断面図である。図１１（ａ）及び（ｂ）に示すように、従来のカップ部では、バストアップ機能を持たせるため、カップ部下部に厚みを持たせていた。具体的には、従来のカップ部では、カップ部下辺部の前中心側端点と脇側端点とを結んだ仮想線（図１１（ａ）における二点鎖線）Ｎよりも下側の領域において、肉厚部（本発明でいう隆起部）が形成されていた。これにより、バストアップは可能であったが、着用するとカップ部がバック部によって左右方向（図１２における矢印で示す方向）に引かれるため、図１３（ａ）に示すようにカップ部が左右に広がり、横長のシルエットになっていた。なお、図１２及び図１３（ａ）は、従来のモールドタイプのカップ部を有するブラジャーの、バック部を開いた状態の背面図である。また、図１３（ｂ）に、図１３（ａ）におけるＶＩ−ＶＩ方向に見た断面図を示す。図１３（ｂ）に示すように、バック部によってカップ部が左右に引かれることにより、カップ部は、横方向に折れ曲がっていた。このように、従来のモールドタイプのカップ部を有する衣類では、着用時、カップ部のシルエットが崩れていた。このようなカップ部のシルエットの崩れは、前述のように、ストラップによって上に引き上げる力がカップ部に作用しないストラップレスタイプのブラジャーの場合に特に顕著であるが、ストラップレスタイプ以外のブラジャーであっても、バック部の引く力はカップ部に及ぶため、どのタイプのブラジャーにおいても生じる問題である。
【００１５】
これに対し、本発明は、カップ部の肌側の前中心側及び脇側の少なくとも一方の領域であって、前記カップ部の下辺部の前中心側端点と脇側端点とを結んだ仮想線をはさむ上下方向の領域に、隆起部が配置されている。本実施形態では、前述のとおり、カップ部１０１の肌側の前中心側及び脇側の両方において、前記仮想線Ｌをはさむ上下方向の領域に、隆起部１０５が配置されている。図４に示すように、着用時にバック部１０３の左右に引く力が及ぶのは、カップ部１０１の下辺部の前中心側端点Ｓ及び脇側端点Ｔである。そのため、本発明のように、カップ部１０１の前中心側及び脇側の少なくとも一方において、カップ部１０１の下辺部の前中心側端点Ｓと脇側端点Ｔとを結んだ仮想線Ｌをはさむ上下方向の領域に隆起部１０５を設け、この領域に剛性を持たせることによって、着用時にカップ部がバック部に引かれても、カップ部の形状が崩れず、バストの造形性を高める効果を実現することができる。具体的には、本発明によれば、図１３（ａ）のように左右に広がるのを防ぐことができ、また、図１３（ｂ）のように横方向に折れ曲がるのを防ぐことができる。なお、このような効果は、本実施形態のようなモールドタイプのカップ部を有する衣類において特に顕著に表れる。
【００１６】
本実施形態では、隆起部１０５は、前中心側及び脇側の両方に配置されているが、本発明はこれに限られず、隆起部は、前中心側及び脇側の少なくとも一方に配置されていればよい。前中心側及び脇側の少なくとも一方に隆起部が配置されていれば、バック部の引く力が及ぶ位置に剛性を持たせることができるため、バック部の引く力に対抗してカップ部の形状を保持することができる。ただし、本実施形態のように、前中心側及び脇側の両方に隆起部を設けることによって、バック部の引く力が及ぶ箇所両方に剛性を持たせることができるため、カップ部の形状を保持する効果がより高まり、好ましい。
【００１７】
また、本発明のカップ部を有する衣類を着用すると、隆起部がバストを押し上げる。このため、本発明は、バストアップする機能も有する。したがって、本発明によれば、バストアップ効果、及び、着用時にカップ部の形状が崩れず、バストの造形性を高める効果をともに実現することができる。また、本発明によれば、カップ部前中心側及び脇側の少なくとも一方の剛性を高めることができるため、例えば長期間使用し、洗濯を繰り返しても、カップ部自体の形状が崩れるのを防ぐこともできる。
【００１８】
本実施形態において、隆起部１０５の厚みは、カップ部１０１の下部において、前記仮想線Ｌの位置における厚みよりも薄くなっている。本発明において、「カップ部の下部」とは、カップ部下辺部におけるバージスラインの最下点（図２（ａ）にＭで示す位置）に該当する位置及びその近傍をいう。図３（ｂ）は、カップ部１０１を図２（ａ）におけるＩＩ−ＩＩ方向に見た断面図である。図３（ｂ）に示すように、本実施形態では、カップ部１０１の下部においては、図２（ａ）に示す前記仮想線Ｌの位置よりも、隆起部１０５の厚みが薄くなっている。従来のモールドタイプのカップ部を有する衣類では、前述のとおり、カップ部下部に肉厚部が設けられていたため、肉厚部が着用時にバストに押され、カップ部下部の厚みの分だけカップ部を押し下げていた。そのため、ブラジャーが本来のバストの位置よりも下についてしまうことがあった。そこで、本実施形態のように、カップ部下部における隆起部の厚みを薄くすることにより、カップ部下部にバストが納まりやすくなるため、バストがブラジャーを押し下げるのを防ぐことができ、好ましい。なお、従来のカップ部のようにカップ部下部に肉厚部を設けなくても、本発明のように、隆起部によって、カップ部の前中心側及び脇側の少なくとも一方からバストを押し上げることで、バストアップすることが可能である。ただし、本発明はこれに限られず、隆起部の厚みがすべて均一であってもよい。
【００１９】
本実施形態において、隆起部１０５の厚みは、前記仮想線Ｌの位置からカップ部１０１の上辺部側に向かうにつれて薄くなっている。具体的には、本実施形態では、隆起部１０５は、前記仮想線Ｌの位置からカップ部１０１の上辺部側に向かうにつれて次第に薄くなり、カップ部上部では隆起がなくなるように形成されている。これにより、カップ部上辺が隆起部の厚みによってバストから浮くことを防ぎ、カップ部上辺をバストにフィットさせることができるため、好ましい。なお、本発明はこれに限られず、隆起部の厚みがすべて均一であってもよいことは、前述のとおりである。
【００２０】
本発明において、隆起部の最も厚みを有する部分は、前記仮想線Ｌ上、もしくはそれよりも下側にあることが好ましい。これにより、隆起部によってカップ部上辺がバストから浮くことを防ぐことができる。
【００２１】
本発明において、隆起部の厚みは、特に限定されないが、最も厚い部分における厚みは、隆起部に隣接するバストトップ側部分の厚みｔ（図３（ａ）参照）よりも、例えば、０．５ｃｍ〜１．５ｃｍ厚いことが好ましく、０．５ｃｍ〜１．０ｃｍ厚いことがより好ましい。
【００２２】
本発明において、隆起部の幅は、特に限定されないが、図１及び図２（ａ）に示すように、前記仮想線Ｌの位置からカップ部下部に向かうにつれて狭くなっていることが好ましい。これにより、カップ部下部の隆起部の面積が小さくなり、バストの納まりを良くすることができる。特に、本実施形態のように、カップ部下部において隆起部の幅を狭くし、図２（ａ）に二点鎖線の円で囲んで示す部分のように隆起部のない空間を設けることによって、バストの納まりをより良くすることができる。隆起部の幅は、最も幅が広い部分において、例えば、２ｃｍ〜４ｃｍの範囲が好ましく、より好ましくは２．５ｃｍ〜３．５ｃｍの範囲である。
【００２３】
本発明において、隆起部の厚み及び幅は、前中心側と脇側とで異なっていてもよい。隆起部の幅は、実現したいカップ部の剛性及びバストアップ効果に応じて、適宜決定することができる。
【００２４】
本実施形態において、隆起部１０５は、カップ部１０１の周辺部に沿うように配置されている。これにより、バストを丸く美しい形に押し上げることができるため、好ましい。なお、本実施形態では、カップ部下辺部に沿う領域全体に隆起部が設けられているが、本発明はこれに限られず、バージスラインの最下点Ｍに該当する位置には、隆起部が設けられていない態様とすることができる。
【００２５】
本実施形態において、隆起部１０５は、カップ部１０１の下辺部から一定の距離をおいて内側に配置されている。これにより、ワイヤー（カップ支持部１０２）と隆起部１０５との間に空間を設けることができ、着用時にワイヤーが肌から浮くのを防ぐことができるため、好ましい。本発明において、「一定の距離」とは、特に限定されないが、例えば、カップ部の下部（図２（ａ）に示す符号Ｍ参照）から０．５ｃｍ以上離れていることが好ましく、１.０ｃｍ以上離れていることがより好ましい。
【００２６】
なお、本実施形態では、図２（ａ）に示すように、隆起部１０５がカップ部の下部周辺だけではなく、全域に亘ってカップ部の下辺部よりも内側に設けられている例を挙げて説明しているが、本発明はこれに限定されるものではない。本発明において、隆起部は、カップ部の下辺部におけるバージスラインの最下点Ｍに対応する部分との間に一定の距離をおいて内側に形成されていれば、着用時にワイヤーが肌から浮くのを防ぐことができる。例えば、隆起部１０５は、図２（ｂ）に示すように、前記最下点Ｍに対応する部分以外の領域でカップ周縁部分に接するように形成してもよい。
【００２７】
本実施形態において、カップ部に使用する成型部材としては、例えば、ウレタン、不織布、ダブルラッセル等の材料を用いることができる。
【００２８】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、本発明は、連結係止部を前中心に設けてフロントホックタイプとしてもよい。また、本発明は、連結係止部がないタイプ、バック部を結んで係止するタイプであってもよい。
【００２９】
前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００３０】
本実施形態では、肩ストラップ１０４は、肩ストラップ取付け部１０８によってカップ部１０１の上部及びバック部１０３の上部に着脱可能に取り付けられている。また、本実施形態では、肩ストラップ１０４は、エイト環からなる長さ調節具１０８Ａに導入されることによって、長さ調整が可能となっている。ただし、本発明はこれに限られず、肩ストラップは着脱可能となっていなくてもよい。例えば、肩ストラップは、円環、Ｚ環、エイト環などの係止具によってカップ部の上部及びバック部１０３の上部に取り付けられていてもよいし、カップ部の上部及びバック部１０３の上部に直接固着されても良い。また、肩ストラップ１０４の態様はこれに限定されず、例えば、一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。
【００３１】
本発明において、肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００３２】
なお、本実施形態では、ブラジャー１００は、土台部１１０を介して、左右のカップ支持部１０２が連結されるとともに、カップ支持部１０２とバック部１０３とが連結されている例を挙げて説明した。しかし、本発明は、これに限定されるものではない。例えば、本発明は、土台部１１０を備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。また、本実施形態では、ブラジャー１００は、カップ支持部１０２にワイヤーを有しているが、本発明は、カップ支持部にワイヤーを有しないノンワイヤータイプの衣類にも適用できる。さらに、本発明は、カップ支持部を有さず、カップ部と土台部とが一体で成形されているタイプの衣類にも適用できる。
【００３３】
以上、第１の実施形態としては、１／２カップのブラジャーを例示して説明したが、本発明は、フルカップや３／４カップのブラジャー等にも適用することができる。
【００３４】
（第２の実施形態）
図５に、本発明のカップ部を有する衣類の第２の実施形態に係るブラジャー２００を示す。図５は、バック部１０３を開いた状態のブラジャー２００の背面図である。図５において、図１と同一部分には同一の符号を付している。
【００３５】
図６（ａ）に、本実施形態のブラジャー２００のカップ部２０１（着用者から見た左側のカップ部）を背面側から見た図を示す。本実施形態では、隆起部２０５が、カップ部２０１の下辺部におけるバージスラインの最下点Ｍに対応する部分を避けて配置されている。その他は、前記第１の実施形態と同様である。
【００３６】
図６（ｂ）に、カップ部２０１を、図６（ａ）におけるＩＩＩ−ＩＩＩ方向に見た断面図を示す。図６（ｂ）に示すように、本実施形態では、カップ部２０１は、カップ部下部には隆起部が設けられていない。このように、隆起部をカップ部の下辺部におけるバージスラインの最下点に該当する位置に設けないことにより、カップ部下部におけるバストの納まりをより良くさせることができるため、好ましい。なお、本実施形態において、カップ部下部における隆起部２０５を設けない範囲については、デザインまたは実現したいバストシルエット等に応じて、適宜決定することができる。
【００３７】
（第３の実施形態）
図７に、本発明のカップ部を有する衣類の第３の実施形態に係るブラジャー３００を示す。図７は、バック部を開いた状態のブラジャー３００の背面図である。図７において、図１と同一部分には同一の符号を付している。
【００３８】
図８に、本実施形態のブラジャー３００のカップ部３０１（着用者から見た左側のカップ部）を背面側から見た図を示す。本実施形態では、隆起部３０５の上側が複数に分岐している。その他は、前記第１の実施形態と同様である。
【００３９】
本実施形態のように、隆起部３０５の上側を分岐させることによって、カップ部上部における隆起部の剛性を相対的に弱めることができる。したがって、例えば、カップ部自体の剛性が高く形成されている場合、本実施形態のように隆起部を分岐させることによって、隆起部が硬くなりすぎて着用時に違和感が生じるのを防ぐことができる。
【００４０】
（第４の実施形態）
図９に、本発明のカップ部を有する衣類の第４の実施形態に係るブラジャー４００を示す。図９（ａ）は、バック部を開いた状態のブラジャー４００の背面図である。図９（ａ）において、図１と同一部分には同一の符号を付している。
【００４１】
図９（ｂ）に、本実施形態に係るブラジャー４００のカップ部４０１を図９（ａ）におけるＩＶ−ＩＶ方向に見た断面図を示す。図９（ｂ）に示すように、本実施形態では、カップ部４０１自体が全体的に肉厚であり、その上で、カップ部肌側に隆起部４０５が設けられている。その他は、前記第１の実施形態と同様である。
【００４２】
例えばＡカップサイズ等の小さいカップサイズのブラジャーの場合、本実施形態のように、カップ部自体を全体的に厚く形成した上で、カップ部の肌側に隆起部を設けることで、本発明の効果を得つつ、さらにバストアップ効果を高めることができるため、好ましい。
【００４３】
（第５の実施形態）
図１０（ａ）に、本発明のカップ部を有する衣類のその他の例として、ブラキャミソール５００の斜視図を示す。
【００４４】
このブラキャミソール５００のブラジャー相当部分は、図１で説明したブラジャー１００とほぼ同一の概念のもとに設計されている。本実施形態においては、ブラキャミソール５００が、土台部１１０の下側に、身頃５０１を有している。本実施形態では、身頃５０１が本発明におけるバック部を兼ねているが、バック部を別途設けてその下に身頃５０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００４５】
（第６の実施形態）
図１０（ｂ）に、本発明のカップ部を有する衣類のその他の例として、ブラキャミソール６００の斜視図を示す。このブラキャミソール６００は、キャミソールの身頃内側にブラジャー相当部分が設けられており、前記ブラジャー相当部分は、図１で説明したブラジャー１００とほぼ同一の概念のもとに設計されている。本実施形態においては、ブラキャミソール６００は、ブラジャー相当部分を覆うように身頃６０１を有している。また、バック部１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部１０１のデザインにかかわらず、着用時の外観のバリエーションを多様にすることができる。また、カップ部１０１を、よりアウターにひびかなくすることもできる。
【００４６】
以上、本発明の具体例として、ブラジャー、及びブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、カップ付きタンクトップ、その他各種のカップ部を有する衣類に適用できる。
【産業上の利用可能性】
【００４７】
本発明のカップ部を有する衣類によれば、バストアップ効果を有するとともに、着用時にカップ部の形状が崩れず、バストの造形性を高めることができる。したがって、本発明は、体型を補整するための衣類において、有効に利用することができるが、その用途は限定されず、広い分野で使用することができる。
【符号の説明】
【００４８】
１００、２００、３００、４００  ブラジャー（カップ部を有する衣類）
１０１、２０１、３０１、４０１  カップ部
１０２  カップ支持部
１０３  バック部
１０４  肩ストラップ
１０５、２０５、３０５、４０５  隆起部
１０８    肩ストラップ取付け部
１０８Ａ  長さ調節具
１１０  土台部
５００、６００  ブラキャミソール
５０１、６０１  身頃
Ｓ  カップ部下辺部の前中心側端点
Ｔ  カップ部下辺部の脇側端点
Ｍ  カップ部下辺部におけるバージスラインの最下点
【図１】
2014091884.tif 000003
【図２】
2014091884.tif 000004
【図３】
2014091884.tif 000005
【図４】
2014091884.tif 000006
【図５】
2014091884.tif 000007
【図６】
2014091884.tif 000008
【図７】
2014091884.tif 000009
【図８】
2014091884.tif 000010
【図９】
2014091884.tif 000011
【図１０】
2014091884.tif 000012
【図１１】
2014091884.tif 000013
【図１２】
2014091884.tif 000014
【図１３】
2014091884.tif 000015